(57)【特許請求の範囲】
【請求項１】
伝送装置の管理システムであって、
管理用端末と、
管理用ポートと第１管理部とを有するネットワークスイッチと、
第２管理部を有する伝送装置と、
前記管理用端末と前記ネットワークスイッチの前記管理用ポートの間を接続する第１管理用伝送媒体と、
前記ネットワークスイッチの第１管理部と前記伝送装置の第２管理部の間で送受信される管理用信号の伝送に供される第２管理用伝送媒体と、
を備え、
前記管理用端末は、前記ネットワークスイッチを管理するためのユーザインターフェースを使用して、所定の命令を前記ネットワークスイッチに向けて送信し、
前記ネットワークスイッチの前記第１管理部は、前記管理用端末からの前記命令に基づいて、前記伝送装置の前記第２管理部に向けて前記管理用信号を送信し、
前記管理用端末は前記伝送装置の仕様に関する構成情報を記憶する記憶部を更に備え、
前記管理用端末に前記伝送装置の設定に関する管理情報が入力されたときに、前記管理情報及び前記構成情報に基づいて、前記伝送装置の設定を自動的に行う、
伝送装置の管理システム。
【請求項２】
前記ネットワークスイッチ及び前記伝送装置は、データ用電極と管理用電極を備えたソケットをそれぞれ有し、
前記ネットワークスイッチのソケットのデータ用電極と前記伝送装置のソケットのデータ用電極を接続するデータ用配線と、前記ネットワークスイッチのソケットの管理用電極と前記メディアコンバータのソケットの管理用電極を接続する前記第２管理用伝送媒体としての管理用配線とを含む通信ケーブルにより、前記ネットワークスイッチのソケット及び前記伝送装置のソケットを接続する、
請求項１に記載の伝送装置の管理システム。
【請求項３】
前記第１管理部と前記第２管理部の間での通信は、Ｉ２Ｃ又はＭＤＩＯの規格に準拠して行われる、
請求項２に記載の伝送装置の管理システム。
【請求項４】
前記第１管理部と前記第２管理部の間での通信は、Ｉ２Ｃ又はＭＤＩＯの規格に準拠したレジスタの読み書きを通じて行われ、
前記管理通信の内容はＩＥＥＥ８０２．１ａｇ、ＩＥＥＥ８０２．３ａｈ、又はＳＮＭＰのいずれかの規格に準拠して行われる、
請求項２に記載の伝送装置の管理システム。
【請求項５】
前記ネットワークスイッチ及び前記伝送装置は、データ用電極を備えたソケットをそれぞれ有し、
前記ネットワークスイッチのソケットのデータ用電極と前記伝送装置のソケットのデータ用電極を接続する前記第２管理用伝送媒体としてのデータ用配線を含む通信ケーブルにより、前記ネットワークスイッチのソケット及び前記伝送装置のソケットを接続する、
請求項１に記載の伝送装置の管理システム。
【請求項６】
前記第１管理部と前記第２管理部の間での通信は、ＩＥＥＥ８０２．１ａｇ、ＩＥＥＥ８０２．３ａｈ、又はＳＮＭＰのいずれかの規格に準拠して行われる、
請求項５に記載の伝送装置の管理システム。
【請求項７】
前記ネットワークスイッチは、ユーザフレームを送受信可能な複数のポートを有し、
前記ネットワークスイッチの前記ポートのうち一つは、前記第２管理用伝送媒体が接続される管理用ポートに設定され、
前記伝送装置は、ユーザフレームの送受信に供されるポートと、管理用ポートとを有し、
前記伝送装置の前記管理用ポートに前記第２管理用伝送媒体が接続される、
請求項１に記載の伝送装置の管理システム。
【請求項８】
前記伝送装置は、ユーザフレームの送受信に供されるポートと、管理用ポートとを有し、
前記伝送装置の管理用ポートは、前記第１管理用伝送媒体及び前記第２管理用伝送媒体を含む管理網を通じて、前記ネットワークスイッチの管理用ポートに接続されている、
請求項１に記載の伝送装置の管理システム。
【請求項９】
前記第１管理部と前記第２管理部の間での通信は、ＩＥＥＥ８０２．１ａｇ、ＩＥＥＥ８０２．３ａｈ、又はＳＮＭＰのいずれかの規格に準拠して行われる、
請求項７又は８に記載の伝送装置の管理システム。
【請求項１０】
前記伝送装置は、合分波される複数の光信号を送受信し、前記構成情報に基づいて、前記光信号の波長が自動設定される、
請求項１に記載の伝送装置の管理システム。
【発明の詳細な説明】
【技術分野】
【０００１】
本発明は、伝送装置の管理システムに関する。
【背景技術】
【０００２】
メディアコンバータは、データの長距離伝送に主に用いられ、対をなす少なくとも２つのメディアコンバータが、ネットワークスイッチ間に配置される。
メディアコンバータの管理のために、メディアコンバータには管理用ポートが設けられ、メディアコンバータの管理用ポートに、通信ケーブルを介して管理用端末が接続される（例えば特許文献１参照）。
【０００３】
また、ネットワークスイッチの管理のために、ネットワークスイッチにも管理用ポートが設けられ、ネットワークスイッチの管理用ポートに、通信ケーブルを介して管理用端末が接続される。
なお、管理用端末は共通であってもよく、この場合、管理用端末は、管理用のネットワークを通じて、メディアコンバータの管理用ポート及びネットワークスイッチの管理ポートに接続される。
【先行技術文献】
【特許文献】
【０００４】
【特許文献１】特開２００３−３２３２２号公報
【発明の概要】
【発明が解決しようとする課題】
【０００５】
従来、メディアコンバータとネットワークスイッチとは、管理者が管理を実行するためのユーザインターフェースの仕様、具体的に、コマンドラインインターフェースのコマンド文字列やその入力フォーマットなど、が互いに異なっていた。このため一般的に、メディアコンバータの管理はメディアコンバータの管理者によって行われ、ネットワークスイッチの管理はネットワークスイッチの管理者によって行われていた。
【０００６】
一方、近年設置が進められているデータセンターにおいて、離れた場所にある２箇所のデータセンター間を、メディアコンバータを介して接続するネットワーク構成が検討されている。データセンターにおいて、ネットワークスイッチは一般的に用いられているものの、メディアコンバータはあまり使用されていない。したがって、データセンターの管理者は、ネットワークスイッチのユーザインターフェースの仕様は使い慣れているものの、メディアコンバータのユーザインターフェースの仕様には詳しくないことが想定される。この場合、データセンターの管理者は、メディアコンバータのユーザインターフェースの仕様を習得し直す必要がある。
【０００７】
このような場面において、管理者が使い慣れているネットワークスイッチのユーザインターフェースを用い、ネットワークスイッチを介して、メディアコンバータの管理を行うことができる管理システムがあると望ましい。
【０００８】
本発明は、上述した事情に鑑みてなされ、その目的とするところは、ネットワークスイッチを管理するためのユーザインターフェースを用い、ネットワークスイッチを介して、伝送装置の管理を行うことができる伝送装置の管理システムを提供することにある。
【課題を解決するための手段】
【０００９】
上述した目的を達成するため、本発明によれば、伝送装置の管理システムであって、管理用端末と、管理用ポートと第１管理部とを有するネットワークスイッチと、第２管理部を有する伝送装置と、前記管理用端末と前記ネットワークスイッチの前記管理用ポートの間を接続する第１管理用伝送媒体と、前記ネットワークスイッチの第１管理部と前記伝送装置の第２管理部の間で送受信される管理用信号の伝送に供される第２管理用伝送媒体と、を備え、前記管理用端末は、前記ネットワークスイッチを管理するためのユーザインターフェースを使用して、所定の命令を前記ネットワークスイッチに向けて送信し、前記ネットワークスイッチの前記第１管理部は、前記管理用端末からの前記命令に基づいて、前記伝送装置の前記第２管理部に向けて前記管理用信号を送信する、伝送装置の管理システムが提供される。
【発明の効果】
【００１０】
本発明によれば、ネットワークスイッチを管理するためのユーザインターフェースを用い、ネットワークスイッチを介して、伝送装置の管理を行うことができる伝送装置の管理システムが提供される。
【図面の簡単な説明】
【００１１】
【図１】第１実施形態の管理システムを備えるネットワークシステムの概略的な構成を示すブロック図である。
【図２】図１中のユーザ収容スイッチ及び管理用端末の構成を概略的に示すブロック図である。
【図３】図１中のメディアコンバータの構成を概略的に示すブロック図である。
【図４】図２のユーザ収容スイッチと図３のメディアコンバータの接続に用いられる通信ケーブルの構成を概略的に示す図である。
【図５】図４の通信ケーブルの横断面を概略的に示す図である。
【図６】ユーザ収容スイッチの管理部とメディアコンバータの制御部の電気的な接続を説明するための図である。
【図７】図２中の管理用端末のモニタに、ユーザインターフェースを介して管理を行ったときに表示される内容の一例を示す図である。
【図８】第２実施形態に係るユーザ収容スイッチ及び管理用端末の構成を概略的に示すブロック図である。
【図９】第２実施形態に係るメディアコンバータの構成を概略的に示すブロック図である。
【図１０】図８のユーザ収容スイッチと図９のメディアコンバータの接続に用いられる通信ケーブルの構成を概略的に示す図である。
【図１１】第３実施形態に係るユーザ収容スイッチ及び管理用端末の構成を概略的に示すブロック図である。
【図１２】第３実施形態に係るメディアコンバータの構成を概略的に示すブロック図である。
【図１３】第４実施形態に係るユーザ収容スイッチ及び管理用端末の構成を概略的に示すブロック図である。
【図１４】第４実施形態に係るメディアコンバータの構成を概略的に示すブロック図である。
【図１５】第５実施形態の管理システムを備えるネットワークシステムの概略的な構成を示すブロック図である。
【図１６】図１５中の光増幅装置の概略的な構成を示すブロック図である。
【図１７】第６実施形態の管理システムを備えるネットワークシステムの概略的な構成を示すブロック図である。
【図１８】図１７中のメディアコンバータの概略的な構成を示すブロック図である。
【発明を実施するための形態】
【００１２】
以下、本発明の実施形態について図面を参照しながら説明する。
〔第１実施形態〕
図１は、第１実施形態のネットワークシステム１０の構成を概略的に示す図である。
ネットワークシステム１０は、データセンターに設けられたネットワーク（ＤＣネットワーク）とユーザ拠点に設けられたＬＡＮ（ローカルエリアネットワーク）を含む。本実施形態では、ネットワークシステム１０は、第１データセンターに設けられた第１ＤＣネットワーク１２ａ、第２データセンターに設けられた第２ＤＣネットワーク１２ｂ、及び、１つのユーザ拠点に設けられたＬＡＮ１４を含むものとする。
【００１３】
ＬＡＮ１４は、例えばＰＣ（パーソナルコンピュータ）からなる複数の端末１６を含み、端末１６は、伝送媒体を介してユーザスイッチ１８に接続されている。ユーザスイッチ１８は、伝送媒体を介してメディアコンバータ２０に接続されている。
【００１４】
第２ＤＣネットワーク１２ｂは複数のサーバ２２を含み、サーバ２２は伝送媒体を介してユーザスイッチ２４に接続されている。ユーザスイッチ２４は、伝送媒体を介してユーザ収容スイッチ２６に接続され、ユーザ収容スイッチ２６は、伝送媒体を介してメディアコンバータ２８に接続されている。ユーザスイッチ２４及びユーザ収容スイッチ２６は、例えば、Ｌ２スイッチやＬ３スイッチ等のネットワークスイッチによって構成される。
【００１５】
同様に、第１ＤＣネットワーク１２ａは複数のサーバ２２を含み、サーバ２２は伝送媒体を介してユーザスイッチ２４に接続されている。ユーザスイッチ２４は伝送媒体を介してユーザ収容スイッチ２６に接続され、ユーザ収容スイッチ２６は伝送媒体を介してメディアコンバータ２８に接続されている。
【００１６】
そして、第１ＤＣネットワーク１２ａのメディアコンバータ２８と第２ＤＣネットワーク１２ｂのメディアコンバータ２８は伝送媒体を介して相互に接続され、また、第２ＤＣネットワーク１２ｂのメディアコンバータ２８とＬＡＮ１４のメディアコンバータ２０は伝送媒体を介して相互に接続されている。
【００１７】
従って、ユーザ拠点の端末１６とサーバ２２は相互に接続されており、ユーザ拠点にいる利用者は、端末１６を操作してサーバ２２に種々の処理を実行させることができる。
なお、第１ＤＣネットワーク１２ａ及び第２ＤＣネットワーク１２ｂにおける、サーバ２２、ユーザスイッチ２４、ユーザ収容スイッチ２６及びメディアコンバータ２８の数や、ＬＡＮ１４における端末１６、ユーザスイッチ１８及びメディアコンバータ２０の数は、特に限定されることはない。
【００１８】
〔ユーザ収容スイッチ〕
図２は、ユーザ収容スイッチの概略的な構成を示すブロック図である。図２に示したように、ユーザ収容スイッチ２６は、信号を送受信する複数のポートを有し、ポートの一種として、例えば、ユーザスイッチ２４との接続に供される複数のＬＡＮポート３０を有する。
【００１９】
また、ユーザ収容スイッチ２６は、ポートの一種として、メディアコンバータ２８との接続に供される複数の光トランシーバ用のソケットを有する。光トランシーバには種々の規格があり、本実施形態では一例として、ユーザ収容スイッチ２６は、ＳＦＰ（Ｓｍａｌｌ  Ｆｏｒｍ−ｆａｃｔｏｒ  Ｐｌｕｇｇａｂｌｅ）用ソケット３２を有する。
【００２０】
ＬＡＮポート３０は、外部のユーザスイッチ２４に伝送媒体を介して接続されるとともに、内部のアクセス側ＰＨＹ用ＬＳＩ３４に接続され、アクセス側ＰＨＹ用ＬＳＩ３４は、中継用ＬＳＩ３６に接続されている。ＯＳＩ（Ｏｐｅｎ  Ｓｙｓｔｅｍｓ  Ｉｎｔｅｒｃｏｎｎｅｃｔｉｏｎ）参照モデルにて、アクセス側ＰＨＹ用ＬＳＩ３４は、ＰＨＹ（物理）層の機能を担当する大規模集積回路によって構成されている。
【００２１】
従って、アクセス側ＰＨＹ用ＬＳＩ３４は、ＬＡＮポート３０から受け取った電気信号である送信符号を復号化して送信データ（フレーム）に変換し、送信データを中継用ＬＳＩ３６に向けて送信する。また、アクセス側ＰＨＹ用ＬＳＩ３４は、中継用ＬＳＩ３６から受け取った送信データを符号化して送信符号に変換し、送信符号の電気信号をＬＡＮポート３０に向けて送信する。
【００２２】
一方、ＳＦＰ用ソケット３２はデータ用電極３８を有する。データ用電極３８は、外部のメディアコンバータ２８に伝送媒体を介して接続され、伝送媒体との間で電気信号の受け渡しを行う。また、データ用電極３８は、内部のメディコン側ＰＨＹ用ＬＳＩ４０に接続され、メディコン側ＰＨＹ用ＬＳＩ４０は、中継用ＬＳＩ３６に接続されている。
【００２３】
メディコン側ＰＨＹ用ＬＳＩ４０は、ＯＳＩ参照モデルにて、ＰＨＹ（物理）層の機能を担当する大規模集積回路によって構成されている。従って、メディコン側ＰＨＹ用ＬＳＩ４０は、ＳＦＰ用ソケット３２のデータ用電極３８から受け取った電気信号である送信符号を復号化して送信データ（フレーム）に変換し、送信データを中継用ＬＳＩ３６に向けて送信する。また、メディコン側ＰＨＹ用ＬＳＩ４０は、中継用ＬＳＩ３６から受け取った送信データを符号化して送信符号に変換し、送信符号の電気信号をＳＦＰ用ソケット３２のデータ用電極３８に向けて送信する。
【００２４】
中継用ＬＳＩ３６は、ＯＳＩ参照モデルにて、ＭＡＣ（媒体アクセス制御）層及び必要に応じてより上位層の機能を担当する大規模集積回路によって構成され、例えば、市販のイーサネット（登録商標）スイッチＬＳＩや、ネットワークプロセッサなどが使用される。また、ＦＰＧＡ（Ｆｉｅｌｄ  Ｐｒｏｇｒａｍｍａｂｌｅ  Ｇａｔｅ  Ａｒｒａｙ）や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の集積回路によって構成してもよい。
【００２５】
中継用ＬＳＩ３６は、機能でみて、経路制御部４２とＦＤＢ（フォワーディングデータベース）４４を有し、ＦＤＢ４４は、フレームの宛先に関する情報を学習し、記憶している。経路制御部４２は、ＦＤＢ４４を参照しながら、受信したフレームの宛先情報に基づいてフレームを出力するポートを決定し、出力用のポートに応じて、アクセス側ＰＨＹ用ＬＳＩ３４又はメディコン側ＰＨＹ用ＬＳＩ４０に向けてフレームを送信する。
【００２６】
〔メディアコンバータ〕
メディアコンバータ２８は、信号を伝送するための伝送装置の一種であり、伝送媒体を変換する機能を有する。伝送媒体の変換には、メタル線と光ファイバーの間での変換は勿論、通信規格の相違する光ファイバーと光ファイバーの間での変換や、メタル線または光ファイバーと無線との間での変換も含まれるものとする。
【００２７】
本実施形態では、メディアコンバータ２８は、例えば、ラック型であり、シャーシと、シャーシに固定された複数のモジュールとからなる。なお、メディアコンバータ２８は、ボックス型であってもよく、ボックス型の場合、各モジュールが１つの独立した装置を構成する。
【００２８】
図３は、メディアコンバータ２８の概略的な構成を示すブロック図である。図３に示したように、メディアコンバータ２８は、モジュールとして、例えば４つのＭＣ（メディアコンバータ）モジュール５０を有する。ＭＣモジュール５０は、信号を送受信するポートとして、ＳＦＰ用ソケット５２を有するとともに、長距離側ポート５４を有する。
【００２９】
ＳＦＰ用ソケット５２は、データ用電極５６を有し、データ用電極５６は伝送媒体を介してユーザ収容スイッチ２６のデータ用電極３８に接続される。また、ＳＦＰ用ソケット５２のデータ用電極５６は、内部の中継部５８に接続されている。
【００３０】
一方、長距離側ポート５４は、長距離側光トランシーバ６０に接続されている。長距離側光トランシーバ６０は、中継部に接続されている。
中継部５８は、例えば、ＦＰＧＡやＡＳＩＣ等の大規模集積回路によって構成され、データ用電極５６から受け取った電気信号としての送信符号を、適当な処理を施してから、長距離側光トランシーバ６０に向けて送信する。また、中継部５８は、長距離側光トランシーバ６０から受け取った電気信号としての送信符号を、適当な処理を施してから、データ用電極５６に向けて送信する。適当な処理とは、例えば、増幅、クロックの再生及び復元等である。
【００３１】
長距離側光トランシーバ６０は、例えば、波長可変レーザからなる電気光変換部（Ｅ／Ｏ）６２及び受光素子からなる光電変換部（Ｏ／Ｅ）６４を有し、電気光変換部６２及び光電変換部６４は、長距離側ポート５４に光学的に接続されている。電気光変換部６２は、中継部５８から受け取った電気信号である送信符号を光信号に変換し、長距離側ポート５４に向けて送信する。光電変換部６４は、長距離側ポート５４から受け取った光信号としての送信符号を電気信号に変換し、中継部５８に向けて送信する。
【００３２】
また、ＭＣモジュール５０は制御部６６を有し、制御部６６は、例えば、ＣＰＵ等の集積回路によって構成されている。長距離側光トランシーバ６０は、レジスタ６８を含んでおり、レジスタ６８には、種々のパラメータが読込可能に書き込まれる。制御部６６は、レジスタ６８にパラメータを書き込むことで長距離側光トランシーバ６０を制御し、また、レジスタ６８のパラメータを読み出すことで長距離側光トランシーバ６０の状態を監視する。
【００３３】
例えば、レジスタ６８には、パラメータの一つとして波長設定値が書き込まれ、長距離側光トランシーバ６０は波長設定値に対応する波長にて、電気光変換部６２としての波長可変レーザを発光させる。
【００３４】
〔ＷＤＭモジュール〕
本実施形態では、メディアコンバータ２８は、ＷＤＭ（波長分割多重）モジュール７０を有する。ＷＤＭモジュール７０は、複数の波長別ポート７２と、少なくとも１つの共通ポート７４と、波長別ポート７２と共通ポート７４の間に設けられた合分波部７６とを有する。
【００３５】
波長別ポート７２は、伝送媒体としての光ファイバーを介してＭＣモジュール５０の長距離側ポート５４に接続され、共通ポート７４は、対向する他のメディアコンバータ２８に伝送媒体としての光ファイバーを介して接続される。合分波部７６は、長距離側ポート５４から受け取った波長の異なる複数の光信号を合波して多重化し、共通ポート７４に向けて送信する。また、合分波部７６は、共通ポート７４から受け取った、多重化された光信号を分波して分離し、波長毎に対応する波長別ポート７２に向けて送信する。
【００３６】
〔伝送装置の管理システム〕
そして、本実施形態では、ネットワークシステム１０に、ユーザ収容スイッチ２６及びメディアコンバータ２８を管理するための伝送装置の管理システム（以下、「管理システム」）８０が付設されている。
再び図１を参照すると、管理システム８０は、例えば第１データセンターに設置された、ＰＣからなる管理用端末８２、及び、管理用スイッチ８４を含む。管理用スイッチ８４は、例えばＬ２スイッチ等からなり、管理用端末８２は、管理用スイッチ８４を含むネットワーク（管理網）通じて、ユーザ収容スイッチ２６の１つに接続されている。
【００３７】
つまり、管理用スイッチ８４は、管理用端末８２とユーザ収容スイッチ２６とを接続する伝送媒体（第１管理用伝送媒体）を構成している。なお、第１管理用伝送媒体は、管理用端末８２とユーザ収容スイッチ２６を直接接続する１本の通信ケーブルによって構成されていてもよい。
また、管理用端末８２は、管理用スイッチ８４を通じて、メディアコンバータ２８に接続されていてもよい。更に、管理用端末８２は、管理用スイッチ８４、外部ネットワーク８５、及び、第２データセンターに設置された管理用スイッチ８４を通じて、第２データセンター内のユーザ収容スイッチ２６及びメディアコンバータ２８に接続されていてもよい。
【００３８】
図２に示したように、ユーザ収容スイッチ２６には、管理用ポート８６及び管理部８８が設けられ、管理用ポート８６が伝送媒体を介して管理用スイッチ８４に接続される。管理用ポート８６は管理部８８に接続され、管理部８８は中継用ＬＳＩ３６に接続されている。管理部８８は、例えば、ＣＰＵ（中央演算処理装置）等の集積回路によって構成され、ユーザ収容スイッチ２６の管理者は、管理用端末８２を操作することによって、ユーザ収容スイッチ２６の管理を行うことができる。
【００３９】
また、ユーザ収容スイッチ２６のＳＦＰ用ソケット３２には、データ用電極３８とは別に、管理用電極９０が設けられ、管理部８８は、管理用電極９０に接続されている。そして、図３に示したように、メディアコンバータ２８のＳＦＰ用ソケット５２にも、管理用電極９２が設けられ、管理用電極９０と管理用電極９２は、伝送媒体を介して相互に接続される。管理用電極９２は、ＭＣモジュール５０の制御部６６に接続されている。
【００４０】
ここで、図４は、ユーザ収容スイッチ２６のＳＦＰ用ソケット３２とメディアコンバータ２８のＳＦＰ用ソケット５２との間の接続に用いられる通信ケーブル１００の概略的な構成を示している。
通信ケーブル１００は、ケーブル本体１０２と、ケーブル本体１０２の両端に設けられたプラグ１０４とを有する。ケーブル本体１０２は、それぞれ複数のデータ用配線１０６及び管理用配線１０８を含んでいる。
【００４１】
プラグ１０４には、データ用配線１０６及び管理用配線１０８に対応してデータ用端子１１０及び管理用端子１１２が設けられている。即ち、データ用配線１０６の両端にデータ用端子１１０が接続され、管理用配線１０８の両端に管理用端子１１２が接続される。
【００４２】
データ用端子１１０及び管理用端子１１２の配列は、データ用電極３８，５６及び管理用電極９０，９２の配列に対応しており、通信ケーブル１００によって、ユーザ収容スイッチ２６のＳＦＰ用ソケット３２のデータ用電極３８とメディアコンバータ２８のＳＦＰ用ソケット５２のデータ用電極５６とが電気的に接続され、ユーザ収容スイッチ２６のＳＦＰ用ソケット３２の管理用電極９０とメディアコンバータ２８のＳＦＰ用ソケット５２の管理用電極９２とが電気的に接続される。
管理システム８０において、管理用配線１０８は、ユーザ収容スイッチ２６とメディアコンバータを接続する伝送媒体（第２管理用伝送媒体）を構成している。
【００４３】
図５は、通信ケーブル１００のケーブル本体１０２の横断面を概略的に示す図である。図５に示したように、例えば、データ用配線１０６としての導線（内部導体）は、それぞれ絶縁体１１３によって覆われ、データ用配線１０６及び絶縁体１１３は、１本の被覆導線１１４を構成している。２本の被覆導線１１４は、撚り合わされた状態で、シールド（外部導体）１１５によって一括して覆われ、被覆導線１１４，１１４及び外部導体１１５は、１本の撚り対線１１６を構成している。つまり撚り対線１１６は、２心の撚り対線である。
【００４４】
管理用配線１０８は、それぞれ被覆導線によって構成され、管理用配線１０８が撚り合わされて撚り対線を構成している。撚り対線１１６，１１６及び管理用配線１０８，１０８は、被覆１１７によって一括して覆われている。
なお、図５では、管理用配線１０８の数が２本であるが、管理用配線１０８のうち接地線を、撚り対線１１６の外部導体１１５が兼ねている。
【００４５】
〔管理システムの通信方式〕
管理システム８０は、ユーザ収容スイッチ２６を介して、メディアコンバータ２８も管理対象としている。管理システム８０が行う管理には、ユーザ収容スイッチ２６及びメディアコンバータ２８の種々の状態の確認や、ユーザ収容スイッチ２６及びメディアコンバータ２８の種々のパラメータの設定が含まれる。このため、ユーザ収容スイッチ２６とメディアコンバータ２８の間では、管理用信号が送受信される。
管理システム８０では、ユーザ収容スイッチ２６とメディアコンバータ２８との間の通信方式として、シリアル通信を採用しており、好ましくは、Ｉ２Ｃ（Ｉｎｔｅｒ  Ｉｎｔｅｇｒａｔｅｄ  Ｃｉｒｃｕｉｔ）又はＭＤＩＯ（Ｍａｎａｇｅｍｅｎｔ  Ｄａｔａ  Ｉｎｐｕｔ／Ｏｕｔｐｕｔ）を採用している。
【００４６】
図６は、通信方式としてＩ２Ｃを採用した場合における、ユーザ収容スイッチ２６の管理部８８とＭＣモジュール５０の制御部６６との間の電気配線を概略的に示すブロック図である。図６に示したように、Ｉ２Ｃを採用した場合、管理部８８及び制御部６６は、シリアルデータ（ＳＤＡ）配線１２０及びシリアルクロック（ＳＣＬ）配線１２２にそれぞれ接続される。シリアルデータ配線１２０及びシリアルクロック配線１２２は、管理用配線１０８を一部にそれぞれ含んでいる。
【００４７】
Ｉ２Ｃによれば、管理部８８がマスターとして命令を発行し、ＭＣモジュール５０の制御部６６はスレーブとして命令を受領する。制御部６６は、管理部８８の命令にしたがって長距離側光トランシーバ６０のレジスタ６８の読み出し及び書き込みを行う。電気光変換部６２の波長可変レーザにあっては、レジスタ６８の波長設定値に応じて波長が変化するため、管理部８８は、レジスタ６８に波長設定値を書き込む命令を制御部６６に発行することによって、電気光変換部６２の波長可変レーザを所望の波長で発光させることができる。
つまり、制御部６６は、ユーザ収容スイッチ２６の管理部８８と協働して、メディアコンバータ２８のＭＣモジュール５０における管理を行う管理部（第２管理部）を構成している。
【００４８】
〔管理用端末及びユーザインターフェース〕
ここで、図２を再び参照すると、管理用端末８２は、例えばＣＰＵ等の集積回路によって構成される制御部１３０と、記憶部１３２とを有する。記憶部１３２には、管理部８８を操作するためのアプリケーションソフトとして、管理用プログラム１３４がインストールされている。管理用プログラム１３４は、管理用端末８２における入出力の方法としてユーザインターフェース１３６を規定している。本実施形態では、ユーザインターフェース１３６として、ユーザ収容スイッチ２６を管理するためのＣＬＩ（コマンドラインインターフェース）が採用されている。
【００４９】
管理者は、制御部１３０に管理用プログラム１３４を実行させることにより、管理用プラグラム１３４のＣＬＩを利用することができる。ＣＬＩによれば、管理者は、管理用端末８２のキーボードを操作することによって、管理用プログラム１３４に命令を入力し、ユーザ収容スイッチ２６の管理部８８へ命令を送ることができる。また、管理者は、管理用端末８２のモニタに表示される文字によって、管理用プログラム１３４に入力した命令の内容の確認や、命令に基づいて行われた処理の結果等を確認することができる。
【００５０】
そして、本実施形態では、管理者は、管理用プログラム１３４に命令を入力し、ユーザ収容スイッチ２６の管理部８８に命令を送ることで、メディアコンバータ２８の管理を行うことができる。つまり、管理用端末８２は、ユーザ収容スイッチ２６のＣＬＩを用い、ユーザ収容スイッチ２６を介して、メディアコンバータ２８の管理を行うことができる。
【００５１】
図７は、管理用プログラム１３４を用いて命令を入力したときに、管理用端末８２のモニタに表示された内容の一例を示す図である。図７中の第１段落は、ユーザ収容スイッチ２６のポートの設定に関し、具体的には、ポート番号１／２５，１／２７，１／２９，１／３１が割り当てられている４つのＳＦＰ用ソケット３２を束ねて仮想的に１つのポートとして扱うという内容を表示している。
【００５２】
図７中の第２段落は、メディアコンバータ２８の設定に関し、２行目の「ＡＢＣＤＥＦＧ」は、メディアコンバータ２８の識別番号を示しており、４行目の「ＨＩＪＫＬＭＮ」は、ＷＤＭモジュール７０の型式を示している。第２段落の５行から８行では、ポート番号１，２，３，４が割り当てられているＭＣモジュール５０のＳＦＰ用ソケット５２に、ユーザ収容スイッチ２６の４つのＳＦＰ用ソケット３２がそれぞれ接続されることが規定されている。
【００５３】
図７中の第３段落は、ユーザ収容スイッチ２６及びメディアコンバータ２８の管理情報の表を表示している。
第３段落の表示によれば、以下のことがわかる。
まず、ＷＤＭモジュール７０の波長別ポート７２は、送信ポートＴＸと受信ポートＲＸからなり、ＨＪＫＬＭＮの型式では、送信ポートＴＸはグリッド５９，５７，５１，４６を採用し、受信ポートＲＸはグリッド３６，３２，２９，２０を採用している。
【００５４】
ＭＣモジュール５０の長距離側ポート５４には、ポート番号１，２，３，４が割り当てられており、長距離側ポート５４も、送信ポートＴＸと受信ポートＲＸからなる。ポート番号１，２，３，４の長距離側ポート５４の送信ポートＴＸは、光ファイバーを介して、ＷＤＭモジュール７０のグリッド５９，５７，５１，４６の送信ポートＴＸにそれぞれ接続され、ポート番号１，２，３，４の長距離側ポート５４の受信ポートＲＸは、光ファイバーを介して、ＷＤＭモジュール７０のグリッド３６，３２，２９，２０の送信ポートＴＸにそれぞれ接続されている。
【００５５】
なお、グリッドの各番号には１つの波長が割り当てられている。グリッドの番号は、ＷＤＭモジュール７０の送信ポートＴＸ及び受信ポートＲＸで送受信されるべき光信号の波長を表しており、合分波部７６の仕様に基づいて規定される。
従って、ＭＣモジュール５０の電気光変換部６２が発光すべき波長は、ＷＤＭモジュール７０における送信ポートＴＸのグリッドの番号によって規定される。
【００５６】
メディアコンバータ２８の長距離側ポート（ロングホール：ＬＨ）５４の接続状態に関しては、ポート番号１のみ接続が切れており、ポート番号２，３，４については接続が確保されている。また、メディアコンバータのＳＦＰ用ソケット（ユーザ：Ｕｓｅｒ）５２の接続状態に関しては、ポート番号１，２，３，４の全てについて接続が確保されている。
【００５７】
一方、第３段落の管理情報の表によれば、第２段落にて規定されているように、ポート番号１，２，３，４が割り当てられているＭＣモジュール５０のＳＦＰ用ソケット５２には、ポート番号１／２５，１／２７，１／２９，１／３１が割り当てられているユーザ収容スイッチ２６の４つのＳＦＰ用ソケット３２がそれぞれ接続されており、ユーザ収容スイッチ２６の４つのＳＦＰ用ソケット３２の接続状態に関しては、ポート番号１／２５，１／２７，１／２９，１／３１の全てについて接続が確保されている。
【００５８】
〔構成情報及び自動設定機能〕
本実施形態では、管理用プログラム１３４は、構成情報１３７を予め記憶する機能、及び、構成情報１３７を参照して、自動的にメディアコンバータ２８の種々のパラメータの設定を行う機能を有する。
【００５９】
構成情報１３７は、具体的には、ＷＤＭモジュール７０の型式に対応して、ＷＤＭモジュール７０の送信ポートＴＸに割り当てられるグリッドの番号の波長の情報である。そして、管理用プログラム１３４は、ＷＤＭモジュール７０の型式と、ＷＤＭモジュール７０の送信ポートＴＸに接続されるＭＣモジュール５０の長距離側ポート５４のポート番号が入力されると、自動的に、ＭＣモジュール５０の電気光変換部６２が、所定のグリッドの番号の波長で発光するよう、長距離側光トランシーバ６０に命令する。そしてこの命令の通り、指定された波長でＭＣモジュール５０の電気光変換部６２が発光する。
【００６０】
第１実施形態のネットワークシステム１０に適用された管理システム８０では、管理者は、ユーザ収容スイッチ２６のＣＬＩに基づいて命令を入力し、ユーザ収容スイッチ２６に向けて命令を送信する。ユーザ収容スイッチ２６の管理部８８は、管理用端末８２からの命令を受信すると、メディアコンバータ２８の制御部６６に向けて管理用信号を送信する。そして、管理部８８は、必要に応じて、制御部６６から管理用信号を受信し、受信した管理用信号の内容を管理用端末８２に出力する。
この構成によれば、管理者は、ユーザ収容スイッチ２６を管理するためのユーザインターフェース１３６を使用し、ユーザ収容スイッチ２６を介して、メディアコンバータ２８を管理することができる。
【００６１】
また、第１実施形態のネットワークシステム１０においては、管理システム８０がメディアコンバータ２８の構成情報１３７を保持しており、構成情報１３７を参照することで、メディアコンバータ２８の管理を自動的に行う。このため、管理者は、構成情報１３７、具体的には、ＷＤＭモジュール７０の送信ポートＴＸに割り当てられる波長などの情報を知っておく必要がない。管理者は、ＷＤＭモジュール７０の型式と、ＷＤＭモジュール７０の送信ポートＴＸに接続されるＭＣモジュール５０の長距離側ポート５４のポート番号を入力するだけで、容易に、メディアコンバータ２８の管理を行うことができる。
【００６２】
また、第１実施形態のネットワークシステム１０においては、管理システム８０が、ユーザ収容スイッチ２６とメディアコンバータ２８の接続のために、通信ケーブル１００を用いている。通信ケーブル１００は、フレームの転送のためのデータ用配線１０６と、管理用の管理用配線１０８とを別々に含んでおり、管理用配線１０８によってユーザ収容スイッチ２６の管理用電極９０とメディアコンバータ２８の管理用電極９２とを接続している。このため、従来使用されているＩ２Ｃ又はＭＤＩＯの規格に準拠した管理用信号を、ユーザ収容スイッチ２６を介して、メディアコンバータ２８へ送ることができる。
【００６３】
また、通信ケーブル１００が、フレームの転送のためのデータ用配線１０６と、管理用の管理用配線１０８とを別々に含んでいるので、ユーザ収容スイッチ２６とメディアコンバータ２８に従来使用されているＳＦＰ用ソケットをそのまま使用することができる。このため、ユーザ収容スイッチ２６とメディアコンバータ２８に複雑な設計変更を行うことなく、簡単に、管理システム８０を実現することができる。
【００６４】
〔第２実施形態〕
以下、第２実施形態として、ネットワークシステム１０に適用される管理システム２００について説明する。なお、以下の実施形態の説明においては、先行する実施形態と同一又は類似の構成については、同一の名称又は符号を付して説明を省略又は簡略化する。
【００６５】
図８は、管理用端末８２が管理用スイッチ８４を介して接続されているユーザ収容スイッチ２０２の構成を概略的に示すブロック図であり、図９は、ユーザ収容スイッチ２０２を介して管理されるメディアコンバータ２０４の構成を概略的に示すブロック図である。図１０は、ユーザ収容スイッチ２０２のＳＦＰ用ソケット３２とメディアコンバータ２０４のＳＦＰ用ソケット５２の接続に用いられる通信ケーブル２０６の概略的な構成を示す図である。なお、通信ケーブル２０６に代えて、光トランシーバとしての２つのＳＦＰと、ＳＦＰ間を接続する光ファイバーを用いてもよい。
【００６６】
図１０に示したように、通信ケーブル２０６が管理用配線１０８を有さず、ユーザ収容スイッチ２０２とメディアコンバータ２０４の間での管理のための通信は、データ用配線１０６を通じて行われる。つまり、データ用配線は、管理用信号を伝送するための伝送媒体（第２管理用伝送媒体）として機能するとともに、通常のフレーム（ユーザフレーム）の伝送にも供される。
【００６７】
すなわち、ユーザ収容スイッチ２０２の管理部２０８が管理用信号を生成し、管理用信号は、中継用ＬＳＩ３６、メディコン側ＰＨＹ用ＬＳＩ４０及びＳＦＰ用ソケット３２を通じて、メディアコンバータ２０４に向けて送信される。
そして、メディアコンバータ２０４のＭＣモジュール５０の中継部５８は、管理用信号を抽出し、制御部６６に向けて送信する。制御部６６は、中継部５８から受け取った管理用信号に従って管理を実行する。
【００６８】
また、ＭＣモジュール５０の制御部６６は、必要に応じて管理用信号を生成し、中継部５８を通じて、ユーザ収容スイッチ２０２に向けて送信する。この場合、ユーザ収容スイッチ２０２の中継用ＬＳＩ３６は、管理用信号を抽出し、管理部２０８に向けて送信する。
【００６９】
〔管理用信号の形式〕
管理用信号は、図８に示したように、ユーザフレームと同種のイーサネット（登録商標）フレーム（管理用フレーム）又はＩＰパケットとして送信されてもよく、ユーザフレーム間のギャップにＩＦＳ（フレーム間信号）として挿入されて送信されてもよい。あるいは管理用信号は、ユーザフレームに重畳された低周波信号として送信されてもよい。
【００７０】
管理用フレームのフォーマットとしては、例えば、ＩＥＥＥ８０２．１ａｇのイーサネットＯＡＭ（イーサネットは登録商標。ＯＡＭは保守運用管理。）で規定された、ＣＣＭ（Ｃｏｎｔｉｎｕｉｔｙ  Ｃｈｅｃｋ  Ｍｅｓｓａｇｅ）と同じフォーマットを採用することができる。
【００７１】
この場合、管理部２０８は、ＣＣＭ中のオプショナルＴＬＶ（Ｔｙｐｅ  Ｌｅｎｇｔｈ  Ｖａｌｕｅ）領域に、管理情報を格納することができる。具体的には、管理情報として、電気光変換部６２の発光波長、電気光変換部６２が発光する光パワー（送信パワー）、光電気変換部６４が受光する光パワー（受信パワー）、接続状態、及び、ビット誤り率等のうちから選択される１種以上を、オプショナルＴＬＶ領域に格納することができる。
【００７２】
また、管理用フレームのフォーマットとして、例えば、ＩＥＥＥ８０２．３ａｈの加入者向けイーサネット（登録商標）の規格に規定されたリンク監視用フレームと同じフォーマットを採用することができる。
【００７３】
一方、管理用信号のフォーマットとして、ＲＦＣ１１５５等のＳＮＭＰ（Ｓｉｍｐｌｅ  Ｎｅｔｗｏｒｋ  Ｍａｎａｇｅｍｅｎｔ  Ｐｒｏｔｏｃｏｌ）で規定されたＳＮＭＰメッセージと同一のフォーマットを採用してもよい。この場合、管理部２０８は、ＳＮＭＰメッセージをペイロード領域に含むイーサネット（登録商標）フレームを管理用フレームとして生成し、管理用フレームがメディアコンバータ２０４に向けて送信される。
【００７４】
ＳＮＭＰに準拠している場合、メディアコンバータ２０４の各ＭＣモジュール５０は、ＭＩＢ（管理情報ベース）を有しており、ＭＩＢに管理情報が格納される。管理部２０８は、Ｇｅｔコマンドによって、ＭＣモジュール５０の管理情報を取得することができ、Ｓｅｔコマンドによって、ＭＣモジュール５０の設定を行うことができる。更に、管理部２０８は、Ｔｒａｐコマンドによって、ＭＣモジュール５０における管理情報の変化、即ち障害発生の通知を受け取ることができる。
【００７５】
あるいは、管理用信号のフォーマットとして、Ｉ２Ｃ又はＭＤＩＯに準拠したフォーマットを採用してもよい。この場合、管理部２０８は、ＳＮＭＰに準拠している場合と同様に、管理用信号をペイロード領域に含む管理用フレームを生成し、管理用フレームがメディアコンバータ２０４に向けて送信される。
【００７６】
上述した第２実施形態のネットワークシステム１０に適用された管理システム２００では、ユーザ収容スイッチ２０２の管理部２０８は、管理用端末８２からの命令に基づいて、メディアコンバータ２０４の制御部６６に管理用信号を送信する。そして、管理部８８は、必要に応じて、制御部６６から管理用信号を受信し、受信した管理用信号の内容を管理用端末８２に出力する。
この構成によれば、第１実施形態と同様に、管理者は、ユーザ収容スイッチ２０２を管理するためのユーザインターフェース１３６を使用し、ユーザ収容スイッチ２０２を介して、メディアコンバータ２０４を管理することができる。
【００７７】
また、第２実施形態のネットワークシステム１０においては、管理システム２００が、ＩＥＥＥ８０２．１ａｇ、ＩＥＥＥ８０２．３ａｈ、又は、ＳＮＭＰ等の規格に準拠してメディアコンバータ２０４の管理を行う。このため、ユーザ収容スイッチ２６とメディアコンバータ２０４に上記規格の機能を実装することにより、簡単に、管理システム２００を実現することができる。
【００７８】
また、第２実施形態のネットワークシステム１０においては、データ用配線を用いて管理用信号を伝送する方式であるため、ユーザ収容スイッチ２０２とメディアコンバータ２０４とを接続する通信ケーブルに管理用配線を必要とせず、従来一般に使用されている通信ケーブルを用いることができる。
【００７９】
〔第３実施形態〕
以下、第３実施形態として、ネットワークシステム１０に適用される管理システム３００について説明する。
図１１は、管理用端末８２が管理用スイッチ８４を介して接続されているユーザ収容スイッチ３０２の構成を概略的に示すブロック図であり、図１２は、ユーザ収容スイッチ３０２を介して管理されるメディアコンバータ３０４の構成を概略的に示すブロック図である。
【００８０】
ユーザ収容スイッチ３０２の管理部３０８は、管理用信号をＬＡＮポート３０のうちから選択された１つのポート（以下、管理用ＬＡＮポート３０ａという）に向けて送信するように構成されている点において、第２実施形態の管理部２０８と異なる。例えば、管理用ＬＡＮポート３０ａには、他のＬＡＮポート３０とは異なるＶＬＡＮ  ＩＤが割り当てられ、これにより他のＬＡＮポート３０と区別される。
【００８１】
一方、メディアコンバータ３０４は、シャーシに取り付けられた管理モジュール３１０を有し、管理モジュール３１０は管理用ポート３１２を有する。管理用ポート３１２は、管理用信号の伝送媒体（第２管理用伝送媒体）としての通信ケーブルを介して、ユーザ収容スイッチ３０２の管理用ＬＡＮポート３０ａに接続される。
【００８２】
そして、管理モジュール３１０は、管理用ポート３１２に接続された管理部３１４を有し、管理部３１４は、例えばＣＰＵ等の集積回路によって構成される。管理部３１４は、シャーシに設けられたバックプレーン３１６に接続され、バックプレーン３１６には、ＭＣモジュール５０も接続されている。
【００８３】
従って、管理部３１４は、バックプレーン３１６を介して、各ＭＣモジュール５０に接続されており、より具体的には、管理部３１４は、各ＭＣモジュール５０の制御部６６に接続されている。メディアコンバータ３０４の管理部３１４は、ユーザ収容スイッチ３０２の管理部３０８から受け取った命令を、ＭＣモジュール５０の制御部６６に振り分ける機能を有する。
【００８４】
上述した第３実施形態のネットワークシステム１０に適用された管理システム３００では、ユーザ収容スイッチ３０２の管理部３０８は、管理用端末８２からの命令に基づいて、メディアコンバータ３０４の管理部３１４に管理用信号を送信する。そして、管理部３０８は、必要に応じて、管理部３１４から管理用信号を受信し、受信した管理用信号の内容を管理用端末８２に出力する。
この構成によれば、第１実施形態と同様に、管理者は、ユーザ収容スイッチ２６を管理するためのユーザインターフェース１３６を使用し、ユーザ収容スイッチ３０２を介して、メディアコンバータ３０４を管理することができる。
【００８５】
また、上述した第３実施形態のネットワークシステム１０においては、メディアコンバータ３０４の管理モジュール３１０の管理部３１４が、複数のＭＣモジュール５０の管理を担当する構成であるため、ユーザ収容スイッチ３０２のＬＡＮポート３０と管理モジュールの管理用ポート８６を接続して管理用信号を送信することで、複数のＭＣモジュール５０を管理することができる。
【００８６】
〔第４実施形態〕
以下、第４実施形態として、ネットワークシステム１０に適用される管理システム４００について説明する。
図１３は、管理用端末８２が管理用スイッチ８４を介して接続されているユーザ収容スイッチ４０２の構成を概略的に示すブロック図であり、図１４は、ユーザ収容スイッチ４０２を介して管理されるメディアコンバータ４０４の構成を概略的に示すブロック図である。
【００８７】
図１３及び図１４に示したように、ユーザ収容スイッチ４０２の管理用ポート８６は、管理用スイッチ８４を介してメディアコンバータ４０４の管理モジュール３１０の管理用ポート３１２に接続されている。つまり、管理用スイッチ８４を含む管理網は、管理用信号の伝送媒体（第２管理用伝送媒体）も含んでいる。
従って、管理システム４００では、ユーザ収容スイッチ４０２とメディアコンバータ４０４の間での管理のための通信は、管理用スイッチ８４、即ち管理網を通じて行われる。
【００８８】
このため、ユーザ収容スイッチ４０２の管理部４０６は、管理用信号を生成すると、管理用ポート８６を通じて、メディアコンバータ４０４に向けて送信する。メディアコンバータ４０４の管理モジュール３１０は、管理用信号を受信すると、第３実施形態の場合と同様に、管理用信号をＭＣモジュール５０の制御部６６に振り分ける。
逆に、メディアコンバータ４０４の管理モジュール３１０が、管理用ポート３１２を通じて管理用信号を送信すると、管理用８８ポートを通じて、ユーザ収容スイッチ４０２の管理部４０６が管理用信号を受信する。
【００８９】
上述した第４実施形態のネットワークシステム１０に適用された管理システム４００では、ユーザ収容スイッチ４０２の管理部４０６は、管理用端末８２からの命令に基づいて、メディアコンバータ４０４の管理部３１４に管理用信号を送信する。そして、管理部４０６は、必要に応じて、管理部３１４から管理用信号を受信し、受信した管理用信号の内容を管理用端末８２に出力する。
この構成によれば、第１実施形態と同様に、管理者は、ユーザ収容スイッチ４０２を管理するためのユーザインターフェース１３６を使用し、ユーザ収容スイッチ４０２を介して、メディアコンバータ４０４を管理することができる。
【００９０】
また、第４実施形態のネットワークシステム１０においては、ユーザ収容スイッチ４０２の管理用ポート８６とメディアコンバータ４０４の管理用ポート３１２を管理用スイッチ８４を介して接続することにより、簡単に、管理システム４００が実現できる。
【００９１】
〔第５実施形態〕
以下、第５実施形態のネットワークシステム５００及びネットワークシステム５００に適用される管理システム６００について説明する。
図１５は、ネットワークシステム５００の概略的な構成を示すブロック図である。ネットワークシステム５００は、光増幅装置５０２を備えている点において、第１実施形態のネットワークシステム１０と異なる。
【００９２】
光増幅装置５０２は、第１ＤＣネットワーク１２ａ、第２ＤＣネットワーク１２ｂ及びＬＡＮ１４のそれぞれの入口に配置され、光信号を増幅してからメディアコンバータ４０４に渡す機能を有する。なお、光増幅装置５０２は、メディアコンバータ４０４に入射する直前又はメディアコンバータ４０４から出射した直後の光信号を増幅すればよく、片方向の光信号を増幅すればよい。従って、増幅する必要のない光信号は、光増幅装置５０２を迂回して伝送される。
【００９３】
図１６は、光増幅装置５０２の概略的な構成を示すブロック図であり、光増幅装置５０２は、受信ポート５０４及び送信ポート５０６を有する。受信ポート５０４と送信ポート５０６との間には、ＥＤＦ（エルビウムドープファイバー）５０８が設けられ、ＥＤＦ５０８には、励起ランプ５１０によって光が照射される。
【００９４】
ＥＤＦ５０８は、励起ランプ５１０による光の照射によって励起状態にさせられ、励起状態のＥＤＦ５０８を通過する際に、光信号が増幅される。なお、励起ランプ５１０の発光状態は、例えばＣＰＵ等の集積回路からなる制御部５１２によって制御される。
【００９５】
一方、管理システム６００の管理用端末８２は、管理用スイッチ８４を通じて光増幅装置５０２に接続されている。光増幅装置５０２には、例えばＲＪ−４５モジュラージャックからなる管理用ポート５１４が設けられ、管理用ポート５１４が管理用スイッチ８４に接続される。従って、ユーザ収容スイッチ４０２の管理部４０６は、管理用ポート８６及び管理用スイッチ８４を介して、光増幅装置５０２の管理用ポート５１４に接続されている。
【００９６】
管理用ポート５１４は、光増幅装置５０２の内部に設けられた、例えばＣＰＵ等の集積回路からなる管理部（第２管理部）５１６に接続されている。管理部５１６は、制御部５１２に接続されており、ユーザ収容スイッチ４０２の管理部４０６は、管理用ポート８６、管理用スイッチ８４、管理用装置５０２の管理用ポート５１４、及び、管理部５１６を介して、光増幅装置５０２の管理を行うことができる。なお、管理部５１６及び制御部５１２は、１つのＣＰＵによって構成されていてもよい。
【００９７】
本実施形態において、管理者は、ユーザ収容スイッチ４０２の管理のためのユーザインターフェース１３６を用いて、光増幅装置５０２の管理を行うことができる。構成情報１３７には、光増幅装置５０２の構成情報が含まれている。そして、光増幅装置５０２の管理に用いられる管理用信号の形式としては、第４実施形態等と同一の形式を用いることができる。
【００９８】
第５実施形態のネットワークシステム５００に適用された管理システム６００では、ユーザ収容スイッチ４０２の管理部４０６は、管理用端末８２からの命令に基づいて、メディアコンバータ４０４の管理部３１４に管理用信号を送信する。そして、管理部４０６は、必要に応じて、管理部３１４から管理用信号を受信し、受信した管理用信号の内容を管理用端末８２に出力する。
この構成によれば、管理者は、ユーザ収容スイッチ４０２を管理するためのユーザインターフェース１３６を使用し、ユーザ収容スイッチ４０２を介して、メディアコンバータ４０４と光増幅装置５０２の両方を管理することができる。
【００９９】
また、第５実施形態のネットワークシステム５００においては、管理システム６００が光増幅装置５０２の構成情報１３７を保持しており、構成情報１３７を参照することで、光増幅装置５０２の管理を自動的に行う。このため、管理者は、容易に、光増幅装置５０２の管理を行うことができる。
【０１００】
〔第６実施形態〕
以下、第６実施形態のネットワークシステム７００及びネットワークシステム７００に適用される管理システム８００について説明する。
図１７は、ネットワークシステム７００の概略的な構成を示すブロック図である。ネットワークシステム７００は、例えば通信事業者の無線基地に設置される、無線中継システム７０２ａ，７０２ｂを含んでいる。
【０１０１】
無線中継システム７０２ａ，７０２ｂは、広域網の一部を構成しており、無線により通信を行う。そのために、メディアコンバータ７０４はアンテナ７０５に接続され、ユーザ収容スイッチ２６から受信した電気信号を電磁波（搬送波）に重畳し、アンテナ７０５を介して対向するメディアコンバータ７０４に向けて送信する。また、メディアコンバータ７０４は、アンテナ７０５を介して電気信号が重畳された電磁波を受信すると、電気信号を抽出してユーザ収容スイッチ２６に送信する。
【０１０２】
図１８は、メディアコンバータ７０４の構成を概略的に示すブロック図である。メディアコンバータ７０４のＭＣモジュール５０は、長距離側光トランシーバ６０に代えて、無線トランシーバ７０６を有する。
【０１０３】
無線トランシーバ７０６は、変調部７０８及び復調部７１０を有し、変調部７０８及び復調部７１０は、アンテナポート７１２に接続されている。変調部７０８は、中継部５８から受け取った電気信号である送信符号を電磁波に重畳し、アンテナポート７１２に向けて送信する。復調部７１０は、アンテナポート７１２を介して受信した電磁波から電気信号を抽出し、抽出した電気信号を中継部５８に向けて送信する。
【０１０４】
また、ＭＣモジュール５０は制御部（第２管理部）７１４を有し、制御部７１４は、例えば、ＣＰＵ等の集積回路によって構成されている。無線トランシーバ７０６は、レジスタ７１６を含んでおり、レジスタ７１６には、種々のパラメータが読込可能に書き込まれる。制御部７１４は、レジスタ７１６にパラメータを書き込むことで無線トランシーバ７０６を制御し、また、レジスタ７１６のパラメータを読み出すことで無線トランシーバ７０６の状態を監視する。
例えば、レジスタ７１６には、パラメータの一つとして搬送波の波長設定値が書き込まれ、無線トランシーバ７０６の変調部７０８及び復調部７１０は、波長設定値に対応する波長に、搬送波の波長を設定する。
【０１０５】
本実施形態においても、メディアコンバータ７０４の管理のためのユーザインターフェースは、ユーザ収容スイッチ２６の管理のためのユーザインターフェース１３６と共通であり、構成情報１３７には、メディアコンバータ７０４の構成情報が含まれている。そして、メディアコンバータ７０４の管理に用いられる管理用信号の通信方式としては、第１実施形態と同一の方式を用いることができる。
【０１０６】
上述した第６実施形態のネットワークシステム７００に適用された管理システム８００では、ユーザ収容スイッチ２６の管理部８８は、管理用端末８２からの命令に基づいて、無線トランシーバ７０６の制御部７１４に管理用信号を送信する。そして、管理部８８は、必要に応じて、制御部７１４から管理用信号を受信し、受信した管理用信号の内容を管理用端末８２に出力する。
この構成によれば、第１実施形態と同様に、管理者は、ユーザ収容スイッチ２６を管理するためのユーザインターフェース１３６を使用し、ユーザ収容スイッチ２６を介して、メディアコンバータ７０４を管理することができる。
【０１０７】
本発明は、上述した第１乃至第６実施形態に限定されることはなく、第１乃至第６実施形態に変形を加えた形態や、これらの形態を組み合わせた形態を含む。
例えば、第１実施形態及び第６実施形態において、通信ケーブル１００の管理用配線１０８を通じて、管理用信号を含むイーサネット（登録商標）フレームを送受信してもよい。つまり、第１実施形態及び第６実施形態においても、Ｉ２Ｃ又はＭＤＩＯの規格に準拠してレジスタの読み書きを通じて通信を行いながら、第２乃至第５実施形態と同様に、管理通信の内容については、ＩＥＥＥ８０２．１ａｇ、ＩＥＥＥ８０２．３ａｈ又はＳＮＭＰ等の規格に準拠して、メディアコンバータ２８，７０４を管理することができる。
【０１０８】
また、第１乃至第６実施形態の説明からわかるように、本発明に係る管理システムにおいては、Ｌ２スイッチやＬ３スイッチ等のネットワークスイッチによって構成されるユーザ収容スイッチを介して管理される対象は、メディアコンバータに限定されることはなく、他の伝送装置であってもよい。
【０１０９】
ここで本発明における伝送装置とは、ユーザフレームの転送に用いられる装置又はモジュールのうち、Ｌ２スイッチやＬ３スイッチ等の経路制御機能を有する装置以外の装置又はモジュールを指すものとする。伝送装置には、メディアコンバータ及び光増幅装置等が含まれる。そして、管理対象としての伝送装置の数は、１つに限定されることはなく、複数であってもよい。
なお当然のことながら、伝送装置の種類によって、管理システムによって管理される情報が異なることがあり、自動設定されるパラメータも異なる。
【０１１０】
一方、上述した第１乃至第６実施形態において、ユーザ収容スイッチ２６，２０２，３０２，４０２，６０２，７０２とメディアコンバータ２８，２０４，３０４，４０４，７０４又は光増幅装置５０２との間において、管理用信号は、いずれも電気信号として送信されていたが、光信号として送信されるようにしてもよい。この場合、管理用信号のための伝送媒体として、光ファイバーが用いられる。
【符号の説明】
【０１１１】
１０            ネットワークシステム
２６            ユーザ収容スイッチ（ネットワークスイッチ）
２８            メディアコンバータ（伝送装置）
６６            制御部（第２管理部）
８０            管理システム
８２            管理用端末
８４            管理用スイッチ（第１管理用伝送媒体）
８８            管理部（第１管理部）
１００          通信ケーブル
１０８          管理用配線（第２管理用伝送媒体）
１３４          管理用プログラム
１３６          ユーザインターフェース
【図１】
0005574279.tif 000002
【図２】
0005574279.tif 000003
【図３】
0005574279.tif 000004
【図４】
0005574279.tif 000005
【図５】
0005574279.tif 000006
【図６】
0005574279.tif 000007
【図７】
0005574279.tif 000008
【図８】
0005574279.tif 000009
【図９】
0005574279.tif 000010
【図１０】
0005574279.tif 000011
【図１１】
0005574279.tif 000012
【図１２】
0005574279.tif 000013
【図１３】
0005574279.tif 000014
【図１４】
0005574279.tif 000015
【図１５】
0005574279.tif 000016
【図１６】
0005574279.tif 000017
【図１７】
0005574279.tif 000018
【図１８】
0005574279.tif 000019